(57)【要約】【課題】視度調整の操作煩雑性を解消する視度調整システムおよび視度調整装置並びに視度調整方法を提供する。【解決手段】眼鏡１２に取り付けられた無線タグ１０から送出される撮影者情報に基づいて視度値を求め自動的に視度調整を行うようにしたので、視度調整を行うためにファインダー窓４２を覗きながら視度調整レバー４３の操作を行う必要がない。デジタルカメラ１６は撮影者情報と当該撮影者情報に対応する視度値を記録でき、記録されている撮影者情報と取得した撮影者情報を照合し、該撮影者に対応する視度値が記録済みならば記録されている視度値を使用し、該撮影者に対応する視度値が未記録ならば取得した撮影者情報から演算で視度値を求めて視度調整を行うので、撮影者が代わったときにも撮影者に合わせて速やかに視度調整が行われる。撮影者情報から演算で求められた視度値を新たに記録できる。【選択図】    図１
2004245910.tif 000002
【特許請求の範囲】
【請求項１】
使用者情報を非接触の信号伝送形式によって外部に送出する情報送出手段と、
前記情報送出手段から伝送される使用者情報を取得する情報取得手段と、
少なくともレンズを備えた光学系を有し被観察物を観察する観察手段と、
前記観察手段の光学系を構成する光学部材を移動させ視度調整を行う視度調整駆動手段と、
前記情報取得手段を介して取得した使用者情報に基づいて前記視度調整駆動手段の制御を行う制御手段と、
から成ることを特徴とする視度調整システム。
【請求項２】
前記情報送出手段は、送出する使用者情報を記録する送出情報記録手段と、
前記送出情報記録手段に記録されている前記使用者情報を外部伝送用の信号に変換する伝送信号変換手段と、
前記信号変換手段により変換された信号を電磁波によって外部に出力する出力手段と、
を備えたことを特徴とする請求項１記載の視度調整システム。
【請求項３】
前記使用者情報送出手段は眼鏡に設けられ、前記情報取得手段は前記観察手段、前記視度調整駆動手段および前記制御手段を具備した光学装置に設けられていることを特徴とする請求項１または２記載の視度調整システム。
【請求項４】
使用者情報を非接触の信号伝送形式によって外部に送出する情報送出手段から伝送される使用者情報を取得する情報取得手段と、
少なくともレンズを備えた光学系を有し被観察物を観察する観察手段と、
前記観察手段の光学系を構成する光学部材を移動させ視度調整を行う視度調整駆動手段と、
前記情報取得手段で取得した使用者情報に基づいて、当該使用者に適した視度調整値を決定する視度調整値決定手段と、
前記視度調整値決定手段で決定した視度調整値に従って視度調整駆動手段の制御を行う制御手段と、
を備えたことを特徴とする視度調整装置。
【請求項５】
前記使用者情報には、当該使用者を識別する使用者識別情報、当該使用者の目の矯正に必要な屈折力のうち少なくとも１つが含まれていることを特徴とする請求項４記載の視度調整装置。
【請求項６】
前記情報取得手段は、前記情報送出手段から送出される使用者情報である電磁波を受信する受信手段と、
受信した電磁波を電気信号に変換する電気信号変換手段と、
を備えたことを特徴とする請求項４または５記載の視度調整装置。
【請求項７】
使用者と当該使用者に対応した視度調整値とを関連させて記録する使用者情報記録手段を備えたことを特徴とする請求項４乃至６のいずれか１項に記載の視度調整装置。
【請求項８】
前記視度調整値決定手段は、前記使用者情報に前記使用者識別情報が含まれている場合に、前記使用者情報記録手段から当該使用者に関連付けられている視度調整値を読み出す制御を行うことを特徴とする請求項７記載の視度調整装置。
【請求項９】
前記視度調整値決定手段は、前記使用者情報に当該使用者の目の矯正に必要な屈折力が含まれる場合には、当該使用者情報から演算によって視度調整値を求める制御を行うことを特徴とする請求項４乃至８のいずれか１項に記載の視度調整装置。
【請求項１０】
前記情報取得手段により取得した使用者情報と前記使用者情報記録手段に記録されている使用者情報とを照合し、取得した使用者情報に対応する視度調整値が前記情報記録手段に記録されている場合には、当該使用者情報から求められた視度調整値を前記使用者情報記録手段から読み出し、取得した使用者情報に対応する視度調整値が前記情報記録手段に記録されていない場合には、当該使用者情報から演算によって視度調整値を求める制御を行う使用者情報照合手段を備えたことを特徴とする請求項４乃至９のいずれか１項に記載の視度調整装置。
【請求項１１】
前記情報取得手段により取得した使用者情報から演算によって求められた視度調整値を当該使用者情報と関連付けて前記使用者情報記録手段に記録する記録制御手段を備えたことを特徴とする請求項４乃至１０のいずれか１項に記載の視度調整装置。
【請求項１２】
使用者情報を非接触の信号伝送形式によって外部に送出する工程と、
前記非接触の信号伝送形式によって送出される使用者情報を取得する工程と、前記使用者情報から視度調整値を決定する工程と、
前記視度調整値に基づいて視度調整機構を制御する工程と、
を含むことを特徴とする視度調整方法。
【発明の詳細な説明】
【０００１】
【発明の属する技術分野】
本発明は視度調整システムおよび視度調整装置並びに視度調整方法に係り、特に視度調整の操作煩雑性を解消する技術に関する。
【０００２】
【従来の技術】
カメラファインダーの視度調整とは、撮影者が近視者や遠視者である場合にファインダーの接眼レンズを光軸方向に進退移動させて撮影者の目の屈折力を補うことで、ファインダー内像の裸眼状態での観察を助けるものである。
【０００３】
従来の視度調整機構は、カメラ外部に設けられた調整レバーや調整ダイヤルを指で動かして、接眼レンズを進退させるように構成されており、また、撮影者が代わるときには撮影者に合わせて視度調整を行う必要がある。
【０００４】
特許文献１に開示されたズームカメラの視度調整機構は、ズームカメラのズームスイッチによってファインダー部の接眼レンズを進退移動可能とし、カメラを保持した手の指によって容易に視度調整操作を可能としている。
【０００５】
【特許文献１】
特開平８−２１１４５４号公報
【０００６】
【非特許文献１】
日経エレクトロニクス２００２年２月２５日号
【０００７】
【発明が解決しようとする課題】
しかしながら、撮影者がカメラを両手で構え、ファインダーをのぞきながら、カメラを保持した手（指）で調整レバーや調整ダイヤルなどの操作を行うことは難しい操作である。
【０００８】
特許文献１に開示されたズームカメラの視度調整機構では、ズームスイッチで接眼レンズの移動を可能としたが、ズーム調整と視度調整とを切り換える切換ボタンを押しながら視度調整を行うので、視度調整の操作煩雑性は解消されておらず、また、撮影者が代わる度に視度調整を行わなければならない。
【０００９】
本発明はこのような事情を鑑みてなされたもので、視度調整の操作煩雑性を解消する視度調整システムおよび視度調整装置並びに視度調整方法を提供することを目的とする。
【００１０】
【課題を解決するための手段】
前記目的を達成するために本発明に係る視度調整システムは、使用者情報を非接触の信号伝送形式によって外部に送出する情報送出手段と、前記情報送出手段から伝送される使用者情報を取得する情報取得手段と、少なくともレンズを備えた光学系を有し被観察物を観察する観察手段と、前記観察手段の光学系を構成する光学部材を移動させ視度調整を行う視度調整駆動手段と、前記情報取得手段を介して取得した使用者情報に基づいて前記視度調整駆動手段の制御を行う制御手段と、から成ることを特徴としている。
【００１１】
本発明によれば、情報送出手段から送出される使用者情報に基づいて自動的に視度調整を行うようにしたので、視度調整を行うために接眼部をのぞきながらダイヤルやレバー等の操作を行う必要がない。
【００１２】
非接触の信号伝送形式には、電磁波による通信や赤外線通信を含んでいる。
【００１３】
本発明の一態様に係る視度調整システムは、前記情報送出手段は、送出する使用者情報を記録する送出情報記録手段と、前記送出情報記録手段に記録されている前記使用者情報を外部伝送用の信号に変換する伝送信号変換手段と、前記信号変換手段により変換された信号を電磁波によって外部に出力する出力手段と、を備えたことを特徴としている。
【００１４】
かかる態様によれば、情報送出手段では使用者情報を外部伝送用の信号に変換し、情報送出手段から非接触の信号伝達形式で情報送出手段外部に使用者情報を送出できる。したがって、ケーブルによる接続の手間がなく便利である。
【００１５】
送出情報記録手段には不揮発性メモリが適している。また、送出情報記録手段は読み出し専用であるＲＯＭでもよいし、記録情報を変更可能なフラッシュメモリでもよい。
【００１６】
本発明の他の態様に係る視度調整システムは、前記使用者情報送出手段は眼鏡に設けられ、前記情報取得手段は前記観察手段、前記視度調整駆動手段および前記制御手段を具備した光学装置に設けられていることを特徴としている。
【００１７】
かかる態様によれば、視度調整は眼鏡をかけた使用者が活用することが多いので、眼鏡を使用者情報の発信元とすると、正確で有効な情報を当該光学装置に与えることができる。
【００１８】
また、前記目的を達成するために本発明に係る視度調整装置は、使用者情報を非接触の信号伝送形式によって外部に送出する情報送出手段から伝送される使用者情報を取得する情報取得手段と、少なくともレンズを備えた光学系を有し被観察物を観察する観察手段と、前記観察手段の光学系を構成する光学部材を移動させ視度調整を行う視度調整駆動手段と、前記情報取得手段で取得した使用者情報に基づいて、当該使用者に適した視度調整値を決定する視度調整値決定手段と、前記視度調整値決定手段で決定した視度調整値に従って視度調整駆動手段の制御を行う制御手段と、を備えたことを特徴としている。
【００１９】
本発明によれば、情報送出手段から送出される使用者情報を取得して、当該使用者情報に基づいて視度調整値を決定し、決定された視度調整値に従って視度調整を行うようにしたので、視度調整を極めて容易に行うことができる。
【００２０】
視度調整値には、実現すべき視度値や観察手段の移動量および観察手段の移動位置を含んでんいる。
【００２１】
本発明の一態様に係る視度調整装置は、前記使用者情報には、当該使用者を識別する使用者識別情報、当該使用者の目の矯正に必要な屈折力のうち少なくとも１つが含まれていることを特徴としている。
【００２２】
使用者識別情報には使用者毎に決められた符号、記号、番号およびこれらの組み合わせから成る情報を含んでいる。また、使用者情報は、使用者の目の矯正に必要な屈折力の他に、眼鏡を使用した使用者の矯正視力とすることも考えられる。
【００２３】
本発明のさらに他の態様に係る視度調整装置は、前記情報取得手段は、前記情報送出手段から送出される使用者情報である電磁波を受信する受信手段と、受信した電磁波を電気信号に変換する電気信号変換手段と、を備えたことを特徴としている。
【００２４】
取得した使用者情報を記録する記録手段を備えてもよい。
【００２５】
さらに、本発明の他の態様に係る視度調整装置は、使用者と当該使用者に対応した視度調整値とを関連させて記録する使用者情報記録手段を備えたことを特徴としている。
【００２６】
かかる態様によれば、使用者情報と当該使用者に対応した視度調整値を関連させて記録しておけば、使用者が代わったときにも使用者に合わせて速やかに視度調整を行うことができる。
【００２７】
また記録する使用者情報は、使用者の眼鏡の製造番号や形式番号とすることも可能である。
【００２８】
使用者情報記録手段は、視度調整装置に備えてもよいし情報取得手段に備えてもよい。また、視度調整値の外部に備えてもよい。
【００２９】
使用者情報記録手段にはデータ書き換え可能なフラッシュメモリを用いることが好ましい。
【００３０】
また、本発明のさらに他の態様に係る視度調整装置は、前記視度調整値決定手段は、前記使用者情報に前記使用者識別情報が含まれている場合に、前記使用者情報記録手段から当該使用者に関連付けられている視度調整値を読み出す制御を行うことを特徴としている。
【００３１】
かかる態様によれば、使用者情報に使用者識別情報が含まれている場合は使用者情報記録手段に記録されている視度調整値を読み出すようにしたので、視度調整値を演算等で求めるより、容易に決定することができる。
【００３２】
本発明の一態様に係る視度調整装置は、前記視度調整値決定手段は、前記使用者情報に当該使用者の目の矯正に必要な屈折力が含まれる場合には、当該使用者情報から演算によって視度調整値を求める制御を行うことを特徴としている。
【００３３】
かかる態様によれば、視度調整値を当該使用者の目の矯正に必要な屈折力から演算によって決定するので、当該視度調整装置には視度調整値を記録しなくてもよい。
【００３４】
本発明の他の態様に係る視度調整装置は、前記情報取得手段により取得した使用者情報と前記使用者情報記録手段に記録されている使用者情報とを照合し、取得した使用者情報に対応する視度調整値が前記情報記録手段に記録されている場合には、当該使用者情報から求められた視度調整値を前記使用者情報記録手段から読み出し、取得した使用者情報に対応する視度調整値が前記情報記録手段に記録されていない場合には、当該使用者情報から演算によって視度調整値を求める制御を行う使用者情報照合手段を備えたことを特徴としている。
【００３５】
かかる態様によれば、使用者情報に使用者を識別する使用者識別情報と当該使用者の目の矯正に必要な屈折力とが含まれていれば、使用者情報記録手段に使用者に対応した視度調整値が記録されていても、使用者情報記録手段に使用者に対応した視度調整値が記録されていなくても、当該視度調整装置は自動的に視度調整を行うことが可能である。
【００３６】
さらに、本発明の他の態様に係る視度調整方法は、前記情報取得手段により取得した使用者情報から演算によって求められた視度調整値を当該使用者情報と関連付けて前記使用者情報記録手段に記録する記録制御手段を備えたことを特徴としている。
【００３７】
かかる態様によれば、使用者情報制御手段に当該使用者に対応する視度調整値が記録されていない使用者の視度調整値を使用者情報制御手に記録することができるので、再度視度調整を行うときには使用者情報記録手段に記録した当該使用者に対応した視度調整を使用できる。
【００３８】
本発明に係る視度調整方法は、使用者情報を非接触の信号伝送形式によって外部に送出する工程と、前記非接触の信号伝送形式によって送出される使用者情報を取得する工程と、前記使用者情報から視度調整値を決定する工程と、前記視度値に基づいて視度調整機構を制御する工程と、を含むことを特徴としている。
【００３９】
【発明の実施の形態】
以下、添付図面に従って本発明に係る視度調整システムおよび視度調整装置並びに視度調整方法の好ましい実施の形態について説明する。
【００４０】
［第１実施形態］
図１は、本発明の第１実施形態に係る視度調整システムの概念図である。
【００４１】
図１には、無線タグ１０を備えた眼鏡１２と無線タグリーダー１４を備えたデジタルカメラ１６が示されている。無線タグリーダー１４はデジタルカメラ１６の背面に備えられている。
【００４２】
無線タグ１０には撮影者を識別できる情報（撮影者識別情報）が記録されており、無線タグ１０は撮影者識別情報を無線信号形式で送出する。撮影者識別情報には氏名や撮影者ＩＤ等が含まれており、撮影者識別情報に記録される情報は上述した情報のうち少なくとも１つでよい。
【００４３】
無線タグ１０は眼鏡１２のブリッジに設置されているが、無線タグ１０の設定位置はこれに限定されず、リム、パッドプレート、耳当て、丁番、フレーム等他の位置に取り付け可能である。
【００４４】
眼鏡１２をかけた撮影者が撮影を行う際に、眼鏡１２に設けられた無線タグ１０と無線タグリーダー１４とが至近距離になるように無線タグリーダー１４はデジタルカメラ１６の背面に設置されている。
【００４５】
無線タグリーダー１４の設置位置はデジタルカメラ１６の背面に限定されず、デジタルカメラ１６の側面でもよいし上面や底面でもよい。また、正面に取り付けてもよいが無線タグ１０と無線タグリーダー１４との距離が離れてしまうと良好な撮影者情報の伝達ができないことがある。
【００４６】
無線タグリーダー１４はデジタルカメラ１６の表面に設置したがデジタルカメラ１６の内部に設置してもよい。無線タグリーダー１４をデジタルカメラ１６の内部に設置すると無線タグリーダー１４とデジタルカメラ１６の制御回路との接続が容易である。
【００４７】
デジタルカメラ１６の正面の略中央に着脱可能な撮影レンズ１７、右端にグリップ部１８が設けられており、他には、図１に図示しない、撮影レンズ１７を取り付けるＦマウント、オートフォーカスとマニュアルフォーカスを切り換えるフォーカスモード切り換えボタン、セルフタイマーランプ、端子収納部が設けられている。端子収納部にには電源入力端子（図２の１２１）、ビデオ出力端子（図２の９７）およびデジタル端子（図２の１２４）が備えられている。デジタル出力端子にはＵＳＢ端子が多く用いられているが、デジタル端子はＵＳＢに限定されずＩＥＥＥ１３９４や他の方式を適用してもよい。
【００４８】
グリップ部１８の上面には回動式の電源スイッチ２０、電源スイッチ２０の中央部にはレリーズボタン２２、露出補正ボタン２４、絞りボタン２６が設けられており、さらに、グリップ部１８の内部は電池収納部になっている。電池収納部には、デジタルカメラ１６に電源供給を行う電池が収納されている。収納される電池は一次電池でもよいし二次電池でもよい。
【００４９】
また、専用のバッテリーパックでもよいし単三型電池でもよい。電池収納部を小型化し、且つ、所望の電力供給力を持つためには単三型電池程度の大きさがよい。
【００５０】
電源スイッチ２０は、電源オン、電源オフの２ポジションを持つ回動式スイッチであり、操作ツマミ回動操作することによりデジタルカメラ１６の主電源のオン／オフの切り換えを行う。
【００５１】
レリーズボタン２２は２段階式に構成され、レリーズボタン２２を軽く押して止める「半押し」の状態で自動ピント合わせ（ＡＦ）および自動露出制御（ＡＥ）が作動してＡＦとＡＥをロックし、「半押し」から更に押し込む「全押し」の状態で撮影が実行される。レリーズボタン２２は、画像の記録開始の指示を与える。
【００５２】
本実施形態で示したように、レリーズボタン２２は回動操作式電源スイッチ２０の中央部に設けると小スペース化に寄与する。
【００５３】
露出補正ボタン２４および絞りボタン２６は手動で露出補正および絞り値設定を行うときに使用する。
【００５４】
デジタルカメラ１６の上面には露出モードダイヤル２８、セルフタイマーボタン３０、ファインダー光学系収納部３２、ポップアップ式のストロボ発光器３４、アクセサリシュー３６、ドットマトリクス液晶モニタである上面表示パネル３８が設けられている。
【００５５】
モードダイヤル２８を回動操作することにより、デジタルカメラ１６の露出モードの切り換えを行うことができる。デジタルカメラ１６の露出モードには、デジタルカメラ１６がすべて露出制御を行うオートモード、デジタルカメラ１６が露出制御を行うが露出補正などを反映することができるマルチプログラムモード、シャッタースピードをセットすれば絞りはデジタルカメラ１６が制御するシャッター優先モード、絞り値をセットすればシャッタースピードはデジタルカメラ１６が制御する絞り優先モード、シャッタースピードも絞り値も撮影者が設定するマニュアルモードがある。
【００５６】
さらに、被写体や風景に合わせて露出およびシャッタースピードの制御を行う露出モードもある。被写体深度を浅くし背景をきれいにぼかして立体感のある人物撮影に適したポートレートモード、被写体深度を深くして近景から遠景までピントの合った写真撮影に適した風景モード、被写体深度を比較的浅くして背景が美しくぼけたクローズアップ写真の撮影に適したクローズアップモード、シャッタースピードを速くして一瞬の動きを止めたスポーツ写真等の撮影に適したスポーツモードおよび暗い被写体に適した露出制御により夕景写真や夜景写真の撮影に適した夜景モードがある。
【００５７】
セルフタイマーボタン３０を押下するとセルフタイマーを使用した撮像が可能になる。
【００５８】
ファインダー光学系収納部３２には、図１には示されていないファインダー光学系（図２の１３０）が収納されている。ファインダー光学系の詳細は後述する。
【００５９】
ポップアップ式のストロボ発光器３４は、これを使用しない場合にはデジタルカメラ内部に形成されたストロボ収納部に収納される。ストロボ発光器３４は、デジタルカメラ１６がストロボ発光器３４を使用する撮影モードに設定されると自動的にデジタルカメラ１６本体の上面に露出する。なお、図示せぬストロボポップアップボタンの押下に応動して、ストロボ発光器３４をポップアップさせる構成でもよい。図１にはストロボ発光部３４をストロボ収納部に収納した状態を示している。
【００６０】
デジタルカメラ１６に内蔵されたストロボ発光器３４ではストロボ光量が不足する場合等では、アクセサリシュー３６に外付けストロボ発光器を接続してストロボ光量を上げることが可能である。
【００６１】
上面表示パネル３８には電池残量、シャッタースピード、絞り値等が表示可能である。上面表示パネル３４の表示内容は上述した項目に限定されず、セルフタイマー使用時に表示されるセルフタイマーマークや露出補正が必要なときに表示される露出補正マーク、撮影モード（オート／マニュアル）、感度、記録画素数（解像度）、圧縮率（画質）、マクロモードのＯＮ／ＯＦＦ、ストロボ発光モード（オート／マニュアル）、日付等を表示してもよい。
【００６２】
上面表示パネル３８は上述した情報を文字や記号で表示できればよく、ドットマトリクス液晶モニタに限定されない。上面表示パネル３８にはＬＥＤ表示装置や他の表示装置を用いてもよい。
【００６３】
デジタルカメラ１６の背面には無線タグリーダー１４、ファインダー窓４２、視度調整レバー４３、自動視度調整ボタン４４、コマンドダイヤル４５、カラー液晶モニタ４６、表示キー４８、キャンセル／戻るキー５０、メニュー／実行キー５２、十字ボタン５４、スロットカバー５６が設けられている。
【００６４】
ファインダー窓４２は、ファインダー光学系収納部２８に収納されたファインダー光学系（図２の１３０）を介して得られる被写体像を撮影者が確認するのぞき窓である。
【００６５】
視度調整レバー４３は上下にスライドするスライド式のレバーであり、視度調整レバー４３を上または下に操作することによりファインダー光学系（図２の１３０）内にある接眼レンズ（図２の１３８）を光軸方向に移動させて視度を調整することができる。
【００６６】
視度調整とは、撮影者が近視者または遠視者である場合、ファインダー光学系（図２の１３０）の一部を動かして撮影者の屈折力を補う機能である。眼鏡をかけた撮影者が視度調整を使用するケースが多い。
【００６７】
視度とはアイポイントの位置から結像位置までの距離の逆数であり、Ｄ（ディオプター、１／ｍ）で表される。
【００６８】
自動視度調整ボタン４４を押下すると、自動視度調整が行われる。自動視度調整の詳細は後述する。
【００６９】
露出補正ボタン２４あるいは絞りボタン２６を押しながらコマンドダイヤル４５を回動操作することにより、露出補正値および絞り値を手動で変更することができる。露出補正ボタン２４や絞りボタン２６を押しながらコマンドダイヤル４５を回動操作して手動露出補正や手動絞り設定を行う形態を示したが、露出補正ボタン２４あるいは絞りボタン２６を押下すると手動調整モードになり、露出補正ボタン２４や絞りボタン２６を押さずにコマンドダイヤル４５を回動操作して手動露出補正や手動絞り設定を行う形態も可能である。
【００７０】
液晶モニタ４６は、記録済み画像を再生表示する手段として利用される。また、液晶モニタ４６は、ユーザインターフェース用表示画面としても利用され、必要に応じてメニュー情報や選択項目、設定内容などの情報が表示される。また、液晶モニタ４６を電子ビューファインダーとして使用してもよい。なお、本実施形態では表示装置には液晶ディスプレイを用いたが、有機ＥＬなど他の方式の表示装置（表示手段）を用いることも可能である。
【００７１】
表示キー４８は、液晶モニタ４６をオン／オフ操作したり、再生方法や再生中のコマ番号等の表示／非表示を切り換えたりするための操作手段である。
【００７２】
キャンセル／戻るキー５０は、メニューから選んだ項目の取消（キャンセル）や一つ前の操作状態に戻る時などに使用される。
【００７３】
メニュー／実行キー５２は、各モードの通常画面からメニュー画面へ遷移させる時（撮影モードから記録画像再生モードに切り換えるときや記録画像再生モードから撮影モードに切り換えるときのメニュー画面表示等）、あるいは、選択内容の確定、処理の実行（確認）指示の時などに使用される。
【００７４】
十字ボタン５４は、上下左右の４方向の指示を入力する操作部であり、上下方向に操作すると、再生ズーム機能や撮影時の電子ズーム機能における倍率調整用のズームキーとして用いられ、左右方向に操作すると再生モード時に１コマ逆送りボタン、１コマ順送りボタンとして機能する。
【００７５】
また、十字ボタン５４は、メニュー／実行キー５２の押下によって表示されるメニュー画面からメニュー項目を選択したり、各メニューにおける各種設定項目の選択を指示したりする操作手段として機能する。
【００７６】
スロットカバー５６の奥には、図１に図示せぬメモリカードスロットが形成されている。メモリカードスロットを複数備えてもよい。また、同種のメモリカードスロットを複数備えてもよいし、異種のメモリカードスロットを備えてもよい。
【００７７】
デジタルカメラ１６の右側面および左側面には、ストラップを取り付けるストラップ取り付け部５８が設けられている。
【００７８】
図２は、第１実施形態に係るデジタルカメラ１６の内部構成を示したブロック図である。撮影レンズ１７は、１枚または複数枚のレンズで構成され、単焦点レンズでもよいし、ズームレンズ等の焦点距離可変のものでもよい。
【００７９】
撮影レンズ１７を通過した光は、絞り６６によって光量が調節された後、ＣＣＤイメージセンサ（以下ＣＣＤと記載）６８に入射する。ＣＣＤ６８の受光面には、フォトセンサが平面的に配列されており、撮影レンズ１７を介してＣＣＤ６８の受光面に結像された被写体像は、各フォトセンサによって入射光量に応じた量の信号電荷に変換される。なお、ＣＣＤ６８は、シャッターゲートパルスのタイミングによって各フォトセンサの電荷蓄積時間（シャッタースピード）を制御する、いわゆる電子シャッター機能を有している。
【００８０】
各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号は、アナログ処理部７２に送られる。アナログ処理部７２は、サンプリングホールド回路、色分離回路、ゲイン調整回路等の信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００８１】
アナログ処理部７２から出力された信号は、Ａ／Ｄ変換器７４によりデジタル信号に変換された後、一旦ＲＡＭ７５に格納される。なお、タイミングジェネレータ（ＴＧ）７８は、ＣＰＵ８０の指令に従ってＣＣＤドライバ７０、アナログ処理部７２およびＡ／Ｄ変換器７４に対してタイミング信号を与えており、このタイミング信号によって各回路の同期がとられている。
【００８２】
画像信号処理回路７６は、所定の信号処理を行う。画像処理回路７６は輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ８０からのコマンドに従って画像信号を処理する。一時記憶された画像データは画像信号処理回路７６により輝度信号（Ｙ信号）および色差信号（Ｃｒ，Ｃｂ  信号）に変換されるとともに、ガンマ補正等の所定の処理が施された後、ＶＲＡＭ８２に格納される。
【００８３】
撮影画像を液晶モニタ４６に表示出力する場合には、ＶＲＡＭ８２から画像データが読み出され、バス８４を介してビデオエンコード回路８６に転送される。ビデオエンコード回路８６に送られたデータは、表示用の所定方式の信号（例えば、ＮＴＳＣ方式のカラー複合映像信号）に変換された後、外部インターフェイス８８を介して液晶モニタ（ＬＣＤ）４８に出力される。こうして、当該画像データの画像内容が液晶モニタ４６の画面上に表示される。
【００８４】
ＣＣＤ６８から出力される画像信号によってＶＲＡＭ８２内の画像データが定期的に書き換えられ、その画像データから生成される映像信号が液晶モニタ４６に供給されることにより、ＣＣＤ６８を介して入力する画像がリアルタイムに液晶モニタ４６に表示される。撮影者は、液晶モニタ４６に映し出される画像（スルー画）、あるいはファインダー４２によって撮影画角を確認できる。
【００８５】
また、上面モニタ３８には電池残量、シャッタースピード、絞り値等が表示される。上面モニタ３８に表示される文字情報はキャラクタジェネレータ（ＣＧＥＭ）８９により文字情報のデータが生成され、外部インターフェイス８８を介して文字情報が表示される。
【００８６】
メニュー／実行キー５２を押下すると、撮影モードと記録画像再生モードを切り換えるモード切り換えメニューが表示される。モード切り換えメニューにより撮影モードが設定され、レリーズボタン２２が押されると撮影開始指示（レリーズＯＮ）信号が発せられる。ＣＰＵ８０は、この指示信号の受入に呼応して、記録用の画像データの取り込みを開始する。また、ＣＰＵ８０は圧縮伸張回路９０にコマンドを送り、これにより圧縮伸張回路９０は、ＲＡＭ７５上の画像データをＪＰＥＧその他の所定の形式に従って圧縮する。
【００８７】
圧縮された画像データは、カードインターフェイス（カードＩ／Ｆ）９２を介してメモリカード９４に記録される。また、デジタルカメラ１６はメモリカードを２つ備えたダブルスロットタイプであり、カードＩ／Ｆ９５およびメモリカード９６を備えている。
【００８８】
本例のデジタルカメラ１６では、画像データを保存する手段として、例えばｘＤ−Ｐｉｃｔｕｒｅ  Ｃａｒｄ  が適用される。記録メディアの形態はこれに限定されず、ＰＣカード、コンパクトフラッシュ、磁気ディスク、光ディスク、光磁気ディスク、メモリースティック（登録商標）などでもよく、電子的、磁気的、若しくは光学的、またはこれらの組み合わせによる方式に従って読み書き可能な種々の媒体を用いることができる。使用される媒体に応じた信号処理手段とインターフェイスが適用される。異種、同種の記録メディアを問わず、複数の媒体を装着可能な構成にしてもよい。また、画像ファイルを保存する手段は、カメラ本体に着脱可能なリムーバブルメディアに限らず、デジタルカメラ１６に内蔵された記録媒体（内部メモリ）であってもよい。
【００８９】
また、前記モード設定メニューにより画像再生モードが設定されると、メモリカード９４（またはメモリカード９５）から画像ファイルが読み出される。読み出された画像データは、圧縮伸張回路９０によって伸張処理され、ビデオエンコード回路８６を介して液晶モニタ４６に出力される。
【００９０】
また、デジタルカメラ１６には再生画像を外部モニタに映し出すために外部モニタを接続するビデオ出力端子９７を備えている。
【００９１】
本実施形態では、ダブルスロットタイプを例示したが、カードＩ／Ｆおよびカードスロットを１つにする（シングルスロット）形態が可能である。
【００９２】
ＣＰＵ８０は、電源スイッチ２０、レリーズボタン２２その他の操作部から受入する入力信号に基づいて、対応する回路の動作を制御し、液晶モニタ４６における表示の制御、ストロボ発光制御、オートフォーカス（ＡＦ）制御および自動露出（ＡＥ）制御等を行う。ＣＰＵ８０は、ＣＣＤ６８を介して入力された画像データに基づいて焦点評価演算やＡＥ演算などの各種演算を行い、その演算結果に基づいてレンズ駆動部１０４を制御して撮影レンズ１７を合焦位置に移動させる一方、図示せぬアイリス駆動部を制御して絞り６６を適正絞り値に設定するとともにＣＣＤ６８の電荷蓄積時間を制御する。
【００９３】
ＲＯＭ１０６にはＣＰＵ８０が処理するプログラムおよび制御に必要な各種データ等が格納され、ＲＡＭ７５は画像処理領域の他、ＣＰＵ８０が各種の演算処理等を行う作業用領域を有する。ＥＥＰＲＯＭ（不揮発性メモリ）１０８には、各種設定情報などが格納される。
【００９４】
デジタルカメラ１６の電源は、バッテリ１２０または電源入力端子１２１に接続される外部電源（不図示）を用いることができる。バッテリ１２０等から供給される電力は、ＤＣ／ＤＣコンバータを含む電源回路１２２によって所要の電圧に変換された後、各回路ブロックに電源供給される。
【００９５】
デジタルカメラ１６には周辺機器を接続するためのデジタル（ＵＳＢ）端子１２４を備えている。接続する周辺機器にはパソコンやプリンタ等があり、パソコンを接続して該パソコンから撮影制御を行う形態や、プリンタを接続してデジタルカメラ１６から直接プリンタにデータを転送し撮影した画像を印刷する形態が考えられる。
【００９６】
デジタルカメラ１６はファインダー光学系１３０を備えている。ファインダー光学系１３０は、撮影レンズ１７とＣＣＤ６８の間にあり、４５°傾けた可動ミラー１３２、被写体像を形成するフォーカシングスクリーン１３４、該被写体像を左右反転させ正立正像とするペンタプリズム１３６、該被写体像の正立正像を拡大する接眼レンズ１３８を含んでいる。
【００９７】
図２では、撮影レンズ１７および接眼レンズ１３８を単一レンズ構成で示しているが、撮影レンズ１７および接眼レンズ１３８は複数のレンズで構成されていてもよい。
【００９８】
撮影レンズ１７を透過した光束は可動ミラー１３２により上方に反射され、ＣＣＤ６８の感光面と共役位置に配置されたフォーカシングスクリーン１３４のマット面上に被写体像を左右逆像として形成する。
【００９９】
この被写体像をペンタプリズム１３６により左右反転させ、正立正像として接眼レンズ１３８で拡大し、撮影者がファインダー窓４２をのぞくと、被写体像を観察することができる。
【０１００】
接眼レンズ１３８はフォーカシングスクリーン１３４のマット面上の被写体像や表示情報を拡大して適当な位置（通常−１Ｄ程度）に虚像を作る役割を果たすもので、全体として正レンズになっている。
【０１０１】
デジタルカメラ１６は自動視度調整機能を備えており、ＣＰＵ８０に制御されたファインダー光学系駆動部１４０によって接眼レンズ１３８を光軸方向に進退移動させることができる。
【０１０２】
また、デジタルカメラ１６は視度調整レバー４３を操作すると、ファインダー光学系駆動部１４０を介して接眼レンズ１３８を光軸方向に進退移動させることが可能である。また、ファインダー光学系駆動部１４０を介さず視度調整レバー４３を操作すると接眼レンズ１３８を移動させることができる接眼レンズ駆動機構を備えてもよい。
【０１０３】
撮影レンズ１３８をペンタプリズム１３６側からアイポイント（ファインダー窓４２）側に移動させると、全系の焦点距離が短くなり、視度はマイナスからプラスに変化する。
【０１０４】
本実施形態では、接眼レンズ１３８を光軸方向に進退移動させて視度調整を行う形態を示したが、ペンタプリズム１３６を移動させてもよいし、ペンタプリズム１３６および接眼レンズ１３８の両方が移動させてもよい。
【０１０５】
また、本実施形態では、実像式ファインダーを例示したが、虚像式ファインダーにも適用可能である。ファインダーは光学式に限らず液晶ファインダーなどの電子ファインダーでもよい。
【０１０６】
電子ファインダーには、ファインダー部に小型液晶モニタおよび小型ＣＲＴなどの画像表示装置を備え、液晶モニタ４６に被写体像を映し出す方法と同じ方法を用いて画像表示装置に被写体像を映し出し、接眼レンズ１３８で拡大させる形態がある。
【０１０７】
電子ファインダーでは、画像表示装置を接眼レンズ１３８の光軸方向に進退移動させ視度調整を行う形態が考えられる。画像表示装置を進退移動させると、相対的に接眼レンズ１３８と画像表示装置の位置関係を変えることになる。したがって、接眼レンズ１３８の焦点距離を変えることと同じであり、視度調整を行うときには画像表示装置を接眼レンズ１３８の光軸方向に進退移動させてもよい。
【０１０８】
図３は、第１実施形態に係る視度調整システムのブロック図である。
【０１０９】
無線タグ１０は撮影者情報が記録されたＲＯＭ２００、ＲＯＭ２００に記録されたデータの読み出しを行い、所望の信号処理を施すロジック回路２０２（以下ロジック回路１と記載）、ロジック回路２０２から送られた信号を無線信号に変換し、無線タグ１０外部に送出するＲＦ回路２０４（以下ＲＦ回路１と記載）を備えている。なお、無線タグ１０への電源供給は無線タグリーダー（ＲＦＩＤリーダー）１４から送出される誘導信号をＲＦ回路１が受信すると、ＲＦ回路１内にて電力に変換し、無線タグ１０の電子回路に電源が供給される。ただし、無線タグ１０に電池を備えてもよい。
【０１１０】
また、デジタルカメラ１６に備えられた無線タグリーダー１４は、無線タグ１０から送出される無線信号を受信し、所望の電気信号に変換するＲＦ回路２０６（以下ＲＦ回路２と記載）、ＲＦ回路２によって変換された電気信号に信号処理を施すロジック回路２０８（以下ロジック回路２と記載）、デジタルカメラ１６のＣＰＵ８０と無線タグリーダー１４を接続するＩＦ回路２１０を備えている。
【０１１１】
無線タグリーダー１４の制御はデジタルカメラ１６に備えられたＣＰＵ８０により行われる。ただし、無線タグリーダー１４にＣＰＵを備えてもよい。
【０１１２】
無線タグリーダー１４が取得した撮影者情報はデジタルカメラ１６に備えられたＲＡＭ７５に一時記憶される。無線タグリーダー１４が取得した撮影者情報を一時記憶するＲＡＭを無線タグリーダー１４に備えてもよい。
【０１１３】
無線タグリーダー１４への電源供給は、デジタルカメラ１６の電源回路１２２によって行われる。ただし、無線タグリーダー１４が電池を備えてもよい。
【０１１４】
デジタルカメラ１６に備えられたＥＥＰＲＯＭ１０８には、撮影者情報と前記撮影者の視度値が関連付けられて記録されている。記録媒体はＥＥＰＲＯＭ１０８だけでなくＲＡＭ７５でもよいし、ＲＯＭ１０６でもよい。
【０１１５】
デジタルカメラ１６には無線タグリーダーが取得した撮影者情報とＥＥＰＲＯＭ１０８に記録されているデータを照合するデータ解析部２１２を備えている。
【０１１６】
前記視度値は、自動視度調整機能によって求められた値でもよいし、視度調整レバー４３を操作して視度調整を行って求められた値でもよい。
【０１１７】
次に自動視度調整機能について説明する。
【０１１８】
図４は第１実施形態に係るデジタルカメラ１６の自動視度調整の制御の流れを示したフローチャートである。
【０１１９】
デジタルカメラ１６の主電源がオンになり、電源オン時のイニシャル動作が終了すると、デジタルカメラ１６の制御はスタンバイ状態になり（ステップＳ１０）、ステップＳ１２に進む。
【０１２０】
ステップＳ１２において、視度調整レバー４３が押下されない場合には（ＮＯ判定）、手動で視度調整をすることができる（ステップＳ１４）。
【０１２１】
ステップＳ１４において手動視度調整を行わない場合には（ＮＯ判定）、デジタルカメラ１６の制御は撮影スタンバイ状態になり（ステップＳ４４）、視度調整レバー４３の押下を監視する（ステップＳ１２）。
【０１２２】
ステップＳ１４において手動視度調整を行う場合には（ＹＥＳ判定）、視度調整レバー４３が操作して（ステップＳ１８）、ファインダー光学系１３０内にある接眼レンズ１３８を所望の位置に移動させて視度調整を行うことができる。
【０１２３】
接眼レンズ１３８が所望の位置に移動し（ステップＳ２０）、視度調整が完了すると、デジタルカメラ１６の制御は撮影スタンバイ状態になる（ステップＳ４４）。
【０１２４】
一方、ステップＳ１２において視度調整レバー４３が押下されると（ＹＥＳ判定）、接眼レンズ１３８はホームポジションに移動し（ステップＳ２２）、無線タグリーダー１４から誘導電波が発信される（ステップＳ２４）。
【０１２５】
このとき、無線タグ１０はスタンバイ状態であり（ステップＳ２５）、無線タグリーダー１４から発信される誘導電波の受け待ち状態である（ステップＳ２６）。
【０１２６】
無線タグリーダー１４から発信される誘導電波を無線タグ１０が受信しなければ（ＮＯ判定）、無線タグ１０は無線タグリーダー１４から発信される誘導電波受け待ちを継続し（ステップＳ２６）、無線タグリーダー１４から発信される誘導電波を無線タグ１０が受信すると（ＹＥＳ判定）、無線タグ１０に備えられたＲＦ回路２によって、該誘導電波は無線タグ１０の電源に変換される。
【０１２７】
無線タグ１０に電源が供給され、動作を開始すると（ステップＳ２８）、無線タグ１０は、無線タグ１０に備えられたＲＯＭ２００に記録された撮影者情報を無線信号に変換して送出する（ステップＳ３０）。
【０１２８】
無線タグリーダー１４は誘導電波を発信すると（ステップＳ２４）、撮影者情報取得待ち状態になり（ステップＳ３２）、無線タグリーダー１４から誘導電波が発信されてから所定の時間が経過しても、無線タグリーダー１４が撮影者情報を取得できないと（ＮＯ判定）、自動視度調整は強制的にオフになり（ステップＳ４２）、撮影スタンバイ状態になる（ステップＳ４４）。
【０１２９】
ステップＳ３２において、無線タグリーダー１４が撮影者情報を取得すると（ＹＥＳ判定）、データ解析部２１２において、取得した撮影者情報がＥＥＰＲＯＭ１０８に記録されているか否かを確認する（ステップＳ３４）。
【０１３０】
取得した撮影者情報がＥＥＰＲＯＭ１０８に記録されていない場合には（ＮＯ判定）、自動視度調整がオフになり（ステップＳ３５）、ステップＳ１４に進み、手動視度調整を行うか否かを選択する。
【０１３１】
取得した撮影者情報がＥＥＰＯＲＯＭ１０８に記録されている場合には（ＹＥＳ判定）、ＥＥＰＲＯＭ１０８から撮影者情報に対応する視度値を読み出し（ステップＳ３６）、ＣＰＵ８０は読み出した視度値から接眼レンズ１３８の移動量を演算によって求め（ステップＳ３８）、ステップＳ３８によって求められた移動量に従って接眼レンズ１３８を移動させる（ステップＳ４０）。
【０１３２】
接眼レンズ１３８の移動が完了すると、自動視度調整はオフになり（ステップＳ４２）、デジタルカメラ１６の制御は撮影スタンバイ状態に遷移する（ステップＳ４４）。
【０１３３】
本実施形態では撮影レンズ１３８の移動量をＥＥＰＲＯＭ１０８に記録されている視度値から演算で求める形態を示したが、接眼レンズの絶対位置が管理されている場合には、ＥＥＰＲＯＭ１０８には撮影者情報と接眼レンズ１３８の位置を関連付けさせて記録し、無線タグリーダー１４により撮影者情報を取得するとＥＥＰＲＯＭ１０８から接眼レンズ１３８位置を得る形態も可能である。
【０１３４】
無線タグリーダー１４は撮影者がファインダー窓４２をのぞいたときに眼鏡１２に備えられた無線タグ１０との距離が近くなるような位置、例えば、ファインダー窓４２の至近に設置することが好ましい。
【０１３５】
図５はユーザ登録の制御の流れを示したフローチャートである。
【０１３６】
ユーザ登録では、撮影者情報と撮影者情報に対応する視度値をデジタルカメラ１６に備えられたＥＥＰＲＯＭ１０８に登録する。
【０１３７】
メニュー／実行キー５２を押下し、液晶モニタ４６にメニュー画面を表示させ、メニュー画面上でユーザ登録を選択する。
【０１３８】
デジタルカメラ１６の制御がユーザ登録モードになると（ステップＳ１００）、液晶モニタ４６にはユーザ登録をするかしないかを選択する画面が表示される（ステップＳ１０２）。
【０１３９】
ユーザ登録をしないが選択されると（ＮＯ判定）、ユーザ登録を終了し（ステップＳ１３０）、ユーザ登録をするが選択されると（ＹＥＳ判定）、撮影者情報の読み取りが開始される（ステップＳ１０４）。ここで無線タグ１０に記録されている撮影者情報が無線タグリーダー１４を介してデジタルカメラ１６に読み込まれる。
【０１４０】
撮影者情報の読み込みが終了すると、視度値を手動入力するか、あるいは手動視度調整を行い、視度調整の結果から視度値を割り出すかのいずれかを選択する画面が表示される（ステップＳ１０６）。
【０１４１】
ステップＳ１０６において視度値を手動入力しないが選択されると（ＮＯ判定）、手動視度調整が可能になり（ステップＳ１１２）、視度調整レバー４３が操作され（ステップＳ１１４）、接眼レンズ１３８が移動される（ステップＳ１１６）。
【０１４２】
接眼レンズの移動が完了すると接眼レンズ１３８の移動量から視度値の割り出しが行われる（ステップＳ１１８）。
【０１４３】
視度値が決定すると、求められた視度値を登録するか否かを選択し（ステップＳ１２６）、登録しないが選択されると（ＮＯ判定）、ユーザ登録を終了し（ステップＳ１３０）、登録するが選択されると（ＹＥＳ判定）、当該視度値がＥＥＰＲＯＭ１０８に登録され（ステップＳ１２８）、ユーザ登録が終了する（ステップＳ１３０）。
【０１４４】
一方、ステップＳ１０６において、視度値を手動入力するを選択すると（ＹＥＳ判定）、液晶モニタ４８には設定できる視度値が表示され、表示された視度値の中から所望の視度値が選択される（ステップＳ１２４）。ステップＳ１２４において、所望の視度値が選択されると、デジタルカメラ１６の制御はステップＳ１２６に進む。
【０１４５】
ステップＳ１２４において、いくつかの視度値から所望の視度値を選択する形態を例示したが、デジタルカメラ１６に文字入力機能を備え、所望の視度値を入力する形態も可能である。
【０１４６】
上記の如く構成されたデジタルカメラ１６では、撮影者の眼鏡１２に備えられた無線タグ１０から送出された撮影者情報をデジタルカメラ１６に備えられた無線タグリーダー１４が受信し、当該撮影者情報に対応した視度値をＥＥＰＲＯＭ１０８から読み出し、読み出された視度値から演算により接眼レンズ１３８の移動量を求め、ファインダー光学系１３０内の接眼レンズ１３８を移動させ視度調整を行う。したがって、視度調整の際の操作煩雑性が解消され、容易に視度調整をすることができる。
【０１４７】
デジタルカメラ１６に備えられたＥＥＰＲＯＭ１０８に撮影者情報に対応した視度値が記録されていないときには、手動視度調整により接眼レンズ１３８を移動させて視度調整を行い、その接眼レンズ１３８の移動量から視度値を割り出し、撮影者情報と関連付けされてＥＥＰＲＯＭ１０８に記録することができる。
【０１４８】
情報伝達に無線タグを用いてデジタルカメラの自動視度調整を行うことは、視度調整が近視者または遠視者が裸眼でファインダーをのぞく際に必要であることを考えれば、眼鏡を発信源とすることで正確、且つ、有効な手段を与えることができる。
【０１４９】
眼鏡以外の発信元としては、腕時計（懐中時計）や携帯電話、等が考えられる。
【０１５０】
本実施形態ではレンズ交換可能な一眼レフタイプのデジタルカメラを例示したが、本発明の適用範囲は一眼レフタイプのデジタルカメラに限定されない。レンズ交換ができないコンパクトカメラや銀塩カメラ、ビデオカメラ、双眼鏡、望遠鏡、顕微鏡などファインダー光学系あるいは被観察物を観察する光学系を有し当該光学系の視度調整が必要であり、当該光学系を駆動する光学系駆動部と光学系駆動部を制御する光学系制御部を有する機器、装置に適用可能である。
【０１５１】
［第２実施形態］
本発明に係る第２実施形態を以下に示す。第２実施形態では第１実施形態と同一または類似する部分については同一の符号を付し、その説明を省略する。
【０１５２】
図６は、第２実施形態に係る視度調整システムのブロック図である。図６中図３と同一または類似する部分には同一の符号を付し、その説明は省略する。
【０１５３】
第１実施形態に示した無線タグ１０には視度調整に必要な撮影者の目の矯正に必要な屈折力が記録されている。
【０１５４】
デジタルカメラ１６に備えられた無線タグリーダー１４は、無線タグ１０から送出される撮影者の目の矯正に必要な屈折力を取得し、当該屈折力のデータをＲＡＭ７５に記憶する。
【０１５５】
ＣＰＵ８０では、取得した屈折力から演算によって接眼レンズ１３８の移動量を求め、求められた接眼レンズの移動量に従ってファインダー光学系駆動部１４０を介して接眼レンズ１３８を移動する。
【０１５６】
本実施形態では、接眼レンズ１３８の移動量を撮影者の目の矯正に必要な屈折力から演算で求めたが、屈折力と接眼レンズ１３８の移動量との関係をデータテーブル化して、屈折力を取得すると、前記データテーブルから接眼レンズ１３８の移動量を割り出し、割り出された接眼レンズ１３８の移動量に従って接眼レンズ１３８を移動させる形態も可能である。
【０１５７】
図７は、本実施形態における自動視度調整の制御の流れを示したフローチャートである。
【０１５８】
デジタルカメラ１６の主電源がオンになり、電源オン時のイニシャル動作が終了すると、デジタルカメラ１６の制御はスタンバイ状態になり（ステップＳ２００）、ステップＳ２０２に進む。
【０１５９】
ステップＳ２０２において、視度調整レバー４３が押下されない場合には（ＮＯ判定）、手動で視度調整をすることができる（ステップＳ２０４）。
【０１６０】
手動視度調整を行わない場合には（ＮＯ判定）、デジタルカメラ１６の制御は撮影スタンバイ状態になり（ステップＳ２３０）、視度調整レバー４３の押下を監視する（ステップＳ２０２）。
【０１６１】
手動視度調整を行う場合には（ＹＥＳ判定）、視度調整レバー４３を操作すると（ステップＳ２０６）、ファインダー光学系１３０内にある接眼レンズ１３８を所望の位置に移動させて（ステップＳ２０８）、視度調整を行うことができる。
【０１６２】
接眼レンズ１３８が所望の位置に移動し、視度調整が完了すると、デジタルカメラ１６の制御は撮影スタンバイ状態に遷移する（ステップＳ２３０）。
【０１６３】
一方、ステップＳ１０２において視度調整レバー４３が押下されると（ＹＥＳ判定）、接眼レンズ１３８がホームポジションに移動され（ステップＳ２１０）、無線タグリーダー１４から誘導電波が発信される（ステップＳ２１２）。
【０１６４】
このとき、無線タグ１０はスタンバイ状態であり（ステップＳ２１４）、無線タグリーダー１４から発信される誘導電波の受け待ち状態である（ステップＳ２１６）。
【０１６５】
ステップＳ２１６において、無線タグリーダー１４から発信される誘導電波を無線タグ１０が受信しなければ（ＮＯ判定）、無線タグ１０は無線タグリーダー１４から発信される誘導電波受け待ちを継続し（ステップＳ２１６）、無線タグリーダー１４から発信される誘導電波を無線タグ１０が受信すると（ＹＥＳ判定）、無線タグ１０に備えられたＲＦ回路２によって、該誘導電波は無線タグ１０の電源に変換される。
【０１６６】
無線タグ１０に電源が供給され、動作を開始すると（ステップＳ２１８）、無線タグ１０は、無線タグ１０に備えられたＲＯＭ２００に記録された撮影者の目の矯正に必要な屈折力（撮影者情報）を無線信号に変換して送出する（ステップＳ２２０）。
【０１６７】
一方、ステップＳ２１２において、無線タグリーダー１４から誘導電波が発信されると、デジタルカメラ１６の制御は撮影者情報取得待ち（ステップＳ２２２）に遷移し、無線タグリーダー１４から誘導電波が発信されてから所定の時間が経過しても無線タグリーダー１４が撮影者情報を取得できないときには（ＮＯ判定）、自動視度調整は強制的にオフになり（ステップＳ２２８）、撮影スタンバイ状態になる（ステップＳ２３０）。
【０１６８】
ステップＳ２２２において、無線タグリーダー１４が撮影者情報である撮影者の目の矯正に必要な屈折力を取得すると（ＹＥＳ判定）、ＣＰＵ８０は取得した撮影者の目の矯正に必要な屈折力から撮影レンズ１３８の移動量を演算で求め（ステップＳ２２４）、求められた接眼レンズ１３８の移動量に従って、ファインダー光学系駆動部１４０を介し接眼レンズ１３８を光軸方向に進退移動させる（ステップＳ２２６）。
【０１６９】
接眼レンズ１３８の移動が完了すると、自動視度調整はオフになり（ステップＳ２２８）、デジタルカメラ１６の制御は撮影スタンバイ状態に遷移する（ステップＳ２３０）。
【０１７０】
本実施形態では、撮影者の目の矯正に必要な屈折力から演算により接眼レンズ１３８の移動量を求めたが、眼鏡１２を使用する撮影者の視度値を無線タグ１０に記録し、前記視度値をデジタルカメラ１６が取得して、前記視度値から接眼レンズ１３８の移動量を求めてもよい。
【０１７１】
上記の如く構成されたデジタルカメラ１６では、撮影者の眼鏡１２に備えられた無線タグ１０に撮影者の目の矯正に必要な屈折力を記録しておき、撮影者の目の矯正に必要な屈折力を撮影者情報として送出し、デジタルカメラ１６は無線タグリーダー１４を介して撮影者の目の矯正に必要な屈折力を取得する。デジタルカメラ１６は撮影者の目の矯正に必要な屈折力から演算により接眼レンズ１３８の移動量を求め、ファインダー光学系１３０内の接眼レンズ１３８を移動させ視度調整を行う。したがって、デジタルカメラ１６のファインダー部の視度調整を容易に行うことができる。
【０１７２】
さらに、撮影者の目の矯正に必要な屈折力から接眼レンズ１３８の移動量を演算で求める形態としたので、撮影者情報や撮影者毎の視度値等をデジタルカメラ１６に記録する必要がない。
【０１７３】
無線タグ１０に記録される情報は、撮影者の目の矯正に必要な屈折力だけでなく、眼鏡１２を使用する撮影者の視度値でもよい。
【０１７４】
［第３実施形態］
本発明に係る第３実施形態を以下に示す。第３実施形態では第１実施形態および第２実施形態と同一または類似する部分については同一の符号を付し、その説明を省略する。第３実施形態に係る視度調整システムは、図３に示したとおりである。
【０１７５】
第３実施形態では、眼鏡１２に備えられた無線タグ１０には撮影者ＩＤおよび撮影者の目の矯正に必要な屈折力が記録されている。
【０１７６】
デジタルカメラ１６に撮影者ＩＤに対応する視度値が記録されているときには、当該視度値から接眼レンズ１３８の移動量を演算で求め、デジタルカメラ１６に撮影者ＩＤに対応する視度値が記録されていないときには、撮影者の目の矯正に必要な屈折力から視度値を求め、さらに接眼レンズ１３８の移動量を求める。上述したように求められた接眼レンズ１３８の移動量に従って、ファインダー光学系駆動部１４０を介して接眼レンズ１３８は移動される。
【０１７７】
また、デジタルカメラ１６はユーザ登録機能を備えており、撮影者の目の矯正に必要な屈折力から求められた視度値は、撮影者ＩＤと関連付けされてＥＥＰＲＯＭ１０８に記録することができる。撮影者の目の矯正に必要な屈折力から求められた視度値だけでなく、手動視度調整による接眼レンズ１３８の移動量から視度値を求めて記録するも可能である。
【０１７８】
図８は、第３実施形態における自動視度調整の流れを示したフローチャートである。
【０１７９】
デジタルカメラ１６の主電源がオンになり、電源オン時のイニシャル動作が終了すると、デジタルカメラ１６の制御はスタンバイ状態になり（ステップＳ３０）、ステップＳ３０２に進む。
【０１８０】
ステップＳ３０２において、視度調整レバー４３が押下されない場合には（ＮＯ判定）、手動で視度調整をすることができる（ステップＳ３０４）。
【０１８１】
ステップＳ３０４において手動視度調整を行わない場合には（ＮＯ判定）、デジタルカメラ１６の制御は撮影スタンバイ状態になり（ステップＳ３５０）、視度調整レバー４３の押下を監視する（ステップＳ３０２）。
【０１８２】
ステップＳ３０４において手動視度調整を行う場合には（ＹＥＳ判定）、視度調整レバー４３が操作して（ステップＳ３０６）、ファインダー光学系１３０内にある接眼レンズ１３８を所望の位置に移動させて視度調整を行うことができる。
【０１８３】
接眼レンズ１３８が所望の位置に移動し（ステップＳ３０８）、視度調整が完了すると、手動視度調整によって求められた接眼レンズ１３８の移動量から視度値を割り出して、割り出された視度値を登録するか否かを選択する（ステップＳ３１０）。
【０１８４】
ステップＳ３１０において、登録しないが選択されると（ＮＯ判定）、デジタルカメラ１６の制御は撮影スタンバイ状態になり（ステップＳ３５０）、自動視度調整オンを監視する（ステップＳ３０２）。
【０１８５】
ステップＳ３１０において、割り出された視度値を登録するが選択されると（ＹＥＳ判定）、接眼レンズ１３８の移動量から視度値の割り出しが行われ（ステップＳ３１２）、割り出された視度値はＥＥＰＲＯＭ１０８に記録される（ステップＳ３１３）。
【０１８６】
視度値の記録が終了すると、デジタルカメラ１６の制御は撮影スタンバイ状態に遷移する（ステップＳ３５０）。
【０１８７】
一方、ステップＳ３０２において視度調整レバー４３が押下されると（ＹＥＳ判定）、接眼レンズ１３８はホームポジションに移動し（ステップＳ３１４）、無線タグリーダー１４から誘導電波が発信される（ステップＳ３１６）。
【０１８８】
このとき、無線タグ１０はスタンバイ状態であり（ステップＳ３１８）、無線タグリーダー１４から発信される誘導電波の受け待ち状態である（ステップＳ３２０）。
【０１８９】
無線タグリーダー１４から発信される誘導電波を無線タグ１０が受信しなければ（ＮＯ判定）、無線タグ１０は無線タグリーダー１４から発信される誘導電波受け待ちを継続し（ステップＳ３２０）、無線タグリーダー１４から発信される誘導電波を無線タグ１０が受信すると（ＹＥＳ判定）、無線タグ１０に備えられたＲＦ回路２によって、該誘導電波は無線タグ１０の電源に変換される。
【０１９０】
無線タグ１０に電源が供給され、動作を開始すると（ステップＳ３２２）、無線タグ１０は、無線タグ１０に備えられたＲＯＭ２００に記録された撮影者情報を無線信号に変換して送出する（ステップＳ３２４）。
【０１９１】
無線タグリーダー１４は誘導電波を発信すると（ステップＳ３１６）、撮影者情報取得待ち状態になり（ステップＳ３２６）、無線タグリーダー１４から誘導電波が発信されてから所定の時間が経過しても、無線タグリーダー１４が撮影者情報を取得できないと（ＮＯ判定）、自動視度調整は強制的にオフになり（ステップＳ３４８）、このときに液晶モニタ４８には撮影者情報を取得できない旨のメッセージが表示される。
【０１９２】
自動視度調整がオフになると（ステップＳ３４８）、デジタルカメラ１６の制御は撮影スタンバイ状態に遷移する（ステップＳ３５０）。
【０１９３】
ステップＳ３２６において、無線タグリーダー１４が撮影者情報を取得すると（ＹＥＳ判定）、データ解析部２１２において、取得した撮影者情報に対応する視度値がＥＥＰＲＯＭ１０８に記録されているか否かを確認する（ステップＳ３２８）。
【０１９４】
取得した撮影者情報に対応する視度値がＥＥＰＲＯＭ１０８に記録されていない場合には（ＮＯ判定）、撮影者情報のうち、撮影者の目の矯正に必要な屈折力をＲＡＭ７５に記憶し（ステップＳ３３０）、ＣＰＵ８０は演算によって撮影者の目の矯正に必要な屈折力から接眼レンズ１３８の移動量を求め（ステップＳ３３２）、求められた接眼レンズ１３８の移動量に従って、ファインダー光学系駆動部１４０を介して接眼レンズ１３８が移動される（ステップＳ３３４）。
【０１９５】
接眼レンズ１３８が所望の位置に移動し（ステップＳ３３４）、視度調整が完了すると、自動視度調整によって求められた接眼レンズ１３８の移動量から視度値を割り出して、割り出された視度値を登録するか否かを選択する（ステップＳ３３６）。
【０１９６】
ステップＳ３３６において、登録しないを選択すると（ＮＯ判定）、自動視度調整をオフし（ステップＳ３４８）、割り出された視度値を登録するを選択すると（ＹＥＳ判定）、接眼レンズ１３８の移動量から視度値の割り出しが行われ（ステップＳ３３８）、割り出された視度値はＥＥＰＲＯＭ１０８に記録される（ステップＳ３３９）。
【０１９７】
視度値の記録が終了すると、自動視度調整はオフになる（ステップＳ３４８）。
【０１９８】
取得した撮影者情報の視度値がＥＥＰＯＲＯＭ１０８に記録されている場合には（ＹＥＳ判定）、ＥＥＰＲＯＭ１０８から撮影者情報に対応する視度値を読み出し（ステップＳ３４０）、ＣＰＵ８０は読み出した視度値から接眼レンズ１３８の移動量を演算によって求め（ステップＳ３４２）、ステップＳ３４２によって求められた移動量に従って接眼レンズ１３８を移動させる（ステップＳ３４６）。
【０１９９】
接眼レンズ１３８の移動が完了すると、自動視度調整はオフになり（ステップＳ３４８）、デジタルカメラ１６の制御は撮影スタンバイ状態に遷移する（ステップＳ３５０）。
【０２００】
自動視度調整によって求められた視度値を登録する際には、登録時に手動で接眼レンズの位置を微調整する工程を備えるとよい。
【０２０１】
上記の如く構成されたデジタルカメラ１６では、無線タグ１０から送出される撮影者情報は撮影者ＩＤと撮影者が使用する撮影者の目の矯正に必要な屈折力とを含み、デジタルカメラ１６に当該使用者ＩＤに対応する視度値が記録されていれば、その視度値を用いて接眼レンズ１３８の移動量を算出し、デジタルカメラ１６に当該使用者ＩＤに対応する視度値が記録されていなければ、撮影者の目の矯正に必要な屈折力から接眼レンズ１３８の移動量を算出するように構成したので、デジタルカメラ１６に、視度値が記録されていても記録されていなくても自動視度調整を行うことができる。したがって、撮影者が代わっても、デジタルカメラ１６が撮影者情報を取得できれば自動的に視度調整を行うことができる。
【０２０２】
さらに、デジタルカメラ１６に視度値が記録されていない場合には、視度調整を行った後に、撮影者ＩＤと視度値を関連させてデジタルカメラ１６に記録させることができる。
【０２０３】
第１実施形態および第３実施形態では、撮影レンズ１３８の移動量をＥＥＰＲＯＭ１０８に記録されている視度値から演算で求める形態を示したが、接眼レンズの絶対位置が管理されている場合には、ＥＥＰＲＯＭ１０８には撮影者情報と接眼レンズ１３８の位置を関連付けさせて記録し、無線タグリーダー１４により撮影者情報を取得するとＥＥＰＲＯＭ１０８から接眼レンズ１３８位置を得る形態も可能である。
【０２０４】
第３実施形態では、接眼レンズ１３８の絶対位置が管理されている場合には、図８のステップＳ３１２およびステップＳ３３８で行われる、接眼レンズ１３８の移動位置から視度値を割り出す工程を省略することができる。
【０２０５】
本発明の適用範囲は視度調整に限定されず、自動視度調整と同様に視度値以外の各種設定値を求めて登録することができる。
【０２０６】
【発明の効果】
本発明によれば、情報送出手段から送出される使用者情報に基づいて視度調整値を決定し、決定した視度調整値に従って自動的に視度調整を行うように構成したので、視度調整を行うために接眼部をのぞきながらダイヤルやレバー等の操作を行う必要がない。
【０２０７】
また、使用者情報と当該使用者情報から求められた視度調整値を記録しておき、記録されている使用者情報と取得した使用者情報を照合し、取得した使用者情報に対応する視度調整値が記録されていれば、記録されている視度調整値を使用して視度調整を行い、使用者情報に対応する視度調整値が記録されていなければ、当該視度調整値を演算で求めるように構成したので、使用者が代わったときにも、使用者に合わせて速やかに視度調整が行われる。
【０２０８】
取得した使用者情報に対応する視度調整値が記録されていない場合には、新たに当該使用者情報と当該使用者情報から求められた視度調整値を関連させて記録するように構成したので、２度目に使用するときからは速やかに視度調整が行われて便利である。
【図面の簡単な説明】
【図１】本発明の第１実施形態に係る視度調整システムの概念図
【図２】本発明の第１実施形態に係るデジタルカメラの内部構成を示したブロック図
【図３】第１実施形態係るデジタルカメラの視度調整システムのブロック図
【図４】第１実施形態のデジタルカメラの自動視度調整の制御の流れを示したフローチャート
【図５】第１実施形態のデジタルカメラのユーザ登録の制御の流れを示したフローチャート
【図６】本発明の第２実施形態に係るデジタルカメラの視度調整システムのブロック図
【図７】本発明の第２実施形態のデジタルカメラの自動視度調整の制御の流れを示したフローチャート
【図８】本発明の第３実施形態のデジタルカメラの自動視度調整の制御の流れを示したフローチャート
【符号の説明】
１０…無線タグ、１２…眼鏡、１４…無線タグリーダー、１６…デジタルカメラ、７５…ＲＡＭ、８０…ＣＰＵ、１０８…ＥＥＰＲＯＭ、１３０…ファインダー光学系、１３８…接眼レンズ、１４０…ファインダー光学系駆動部、２００…ＲＯＭ、２０２，２０８…ロジック回路、２０４，２０６…ＲＦ回路、２１２…データ解析部
【図１】
2004245910.tif 000003
【図２】
2004245910.tif 000004
【図３】
2004245910.tif 000005
【図４】
2004245910.tif 000006
【図５】
2004245910.tif 000007
【図６】
2004245910.tif 000008
【図７】
2004245910.tif 000009
【図８】
2004245910.tif 000010